(57)【要約】【課題】  既存マンホールの複数の開口部の大きさに対応可能であり、軽量で運搬，設置及び取り外しが簡単にでき、路上作業者も安心，安全に作業ができるマンホール用仮蓋を提供する。【解決手段】  換気ダクト孔５とケーブル導入孔６と複数の光入射孔とを設けたマンホール用仮蓋１において、仮蓋本体２がガラス繊維入り強化プラスチック製グレーチング４で形成され、該グレーチングの外周近傍に受枠対応の複数の自在鉤金具３と各自在鉤金具の先端をグレーチング内に待機させる溝９とが設けられたマンホール用仮蓋。【選択図】        図１
2008202359.tif 000002
【特許請求の範囲】
【請求項１】
換気ダクト孔とケーブル導入孔と複数の光入射孔とを設けたマンホール用仮蓋において、仮蓋本体をガラス繊維入り強化プラスチック製グレーチングで形成し、該グレーチングの外周近傍に受枠対応の複数の自在鉤金具と各自在鉤金具の先端をグレーチング内に待機させる溝とを設けたことを特徴とするマンホール用仮蓋。
【発明の詳細な説明】
【技術分野】
【０００１】
本発明は、マンホールの清掃点検，診断作業等に使用する、換気ダクト孔とケーブル導入孔と複数の光入射孔とを設けたマンホール用仮蓋に関するものである。
【背景技術】
【０００２】
従来，マンホールの清掃点検，診断作業等に使用するマンホール用仮蓋において、蓋本体に地下管路内に空気を送る送風管を挿通させるための挿通孔と地下管路内に外光を入射させるための光入射孔と手を挿入して開口部を開閉するための挿入孔とを設けたものがある（例えば特許文献１参照。）。
また、マンホールの工事用仮蓋の支持体として、はりに２つスライダーを摺動自在に取り付け、該スライダーにハの字形に開く２本のアームを取り付け、どんなマンホールにもマンホール内で支持体が固定でき、該支持体の上に仮蓋を載せたものがある（例えば特許文献２参照。）。
【０００３】
【特許文献１】特開２００３−１０５７８９号公報
【特許文献２】登録実用新案第３００４４８５号公報
【発明の開示】
【発明が解決しようとする課題】
【０００４】
ところで、前記前者の従来の技術では、マンホールの開口部の大きさにより仮蓋をそれぞれ製作する必要があると共に仮蓋が鉄製である為、運搬，設置及び取り外しが簡単にできない問題があった。
また、前記後者の従来の技術では、支持体のマンホール内の設置が簡単にできず、支持体を構成する部品点数が多くなりコスト高であると共に支持体の上に載せる仮蓋が木製である為、その上で作業する作業者の安全性に欠ける虞があった。
【０００５】
本発明は、従来の技術の有するこのような問題点に鑑みてなされたものであり、その目的とするところは、既存マンホールの複数の開口部の大きさに対応可能であり、軽量で運搬，設置及び取り外しが簡単にでき、路上作業者も安心，安全に作業ができるマンホール用仮蓋を提供しようとするものである。
【課題を解決するための手段】
【０００６】
上記目的を達成するために、本発明におけるマンホール用仮蓋は、仮蓋本体をガラス繊維入り強化プラスチック製グレーチングで形成し、該グレーチングの外周近傍に受枠対応の複数の自在鉤金具と各自在鉤金具の先端をグレーチング内に待機させる溝とを設けたものである。
【発明の効果】
【０００７】
以上のように、仮蓋本体をガラス繊維入り強化プラスチック製グレーチングで形成したので、軽量で運搬，設置及び取り外しが簡単にでき、マンホール内の作業者が上ってきてマンホール内からでも仮蓋の取り外しが可能であり、また、製品強度が高いのでグレーチングに人が乗ることも可能であり、路上作業員も負担の少ない姿勢で安心，安全に作業ができると共に格子状の小孔から光入射されマンホール内の視界も良好となり作業効率も向上され、また、該グレーチングの外周近傍に受枠対応の複数の自在鉤金具と各自在鉤金具の先端をグレーチング内に待機させる溝とを設けたものであるので、既存マンホールの複数の開口部の大きさ例えばグレーチングの大きさ以上にも対応可能なマンホール用仮蓋となる。
【発明を実施するための最良の形態】
【０００８】
換気ダクト孔とケーブル導入孔と複数の光入射孔とを設けたマンホール用仮蓋において、仮蓋本体をガラス繊維入り強化プラスチック製グレーチングで形成し、該グレーチングの外周近傍に受枠対応の複数の自在鉤金具と各自在鉤金具の先端をグレーチング内に待機させる溝とを設けたマンホール用仮蓋。
【実施例】
【０００９】
図１ないし図３は本発明の実施例に関するものであり、図１は本発明のマンホール用仮蓋の平面図、図２は図１におけるグレーチングのＡ−Ａ断面図、図３は図１におけるグレーチングのＢ−Ｂ断面図である。
【００１０】
図において、１はマンホール用仮蓋であり、該仮蓋１はマンホール内の清掃点検，診断作業時にマンホール蓋の代わりにマンホール開口部を養生するものであり、仮蓋本体２と複数の自在鉤金具３，３，…とで構成されている。
【００１１】
前記仮蓋本体２は、ガラス繊維入り強化プラスチック材により格子状に一体形成された有孔板体のグレーチング４で円板状に形成され、該グレーチング４にはマンホール内を換気する例えば換気ダクトを挿通するための大孔の換気ダクト孔５とマンホール内を点検する例えばケーブルを挿通するための中孔のケーブル導入孔６とが穿設されている。そして前記ケーブル導入孔６の上面円周部に曲面部７を形成してケーブル等の損傷を防止している。
【００１２】
また、前記グレーチング４の外周近傍には、詳細に後述するマンホール蓋受枠８に対応させる複数（例えば四個）の自在鉤金具３，３，…と各自在鉤金具３，３，…の先端をグレーチング４内に待機させる溝９，９，…とが設けられている。
【００１３】
前記自在鉤金具３はステンレス製で二枚のステンレス板をグレーチング４の上面と下面に挟持しグレーチング４に形成したボルト挿通孔１０，１０，…に自在鉤金具３の他端側でボルト１１，１１，…とグレーチング４の下面のステンレス板に溶着されたナット１２，１２，…とにより自在鉤金具３はグレーチング４に取り付けられている。そして、自在鉤金具３の先端側には二枚のステンレス板の垂直方向下方に突出する鉤部１３，１３，…が形成され、前記ボルト１１，１１，…を枢軸として各自在鉤金具３，３，…は回動し、該鉤部１３，１３，…がグレーチング４の外周に配置させることができるようにしている。
【００１４】
以上のような構成からなるマンホール用仮蓋であるので、マンホール内の清掃点検，診断作業時にマンホール蓋の代わりとしてマンホール開口部を養生するマンホール用仮蓋１を設置することにより、人の転落や大きな工具，石等の落下を防止し、ケーブル等の損傷も防止できる。そして、グレーチング４がガラス繊維入り強化プラスチック材により格子状に一体形成された有孔板体であることにより、軽量（約八ｋｇ）で運搬，設置及び取り外しが簡単にでき、マンホール内の作業者が上ってきてマンホール内からでも仮蓋１の取り外しが可能であり、また、製品強度が高いのでグレーチング４に人が乗ることも可能であり、路上作業員も負担の少ない姿勢で安心，安全に作業ができると共に格子状の小孔から光入射されマンホール内の視界も良好となり作業効率も向上される。
【００１５】
また、既存のマンホールの受枠８にはテーパー型，旧小型，大型のものがあり、本発明のマンホール用仮蓋１は自在鉤金具３を設けてそれぞれに対応可能としている。
【００１６】
図４及び図５はテーパー型のマンホールの受枠８にマンホール用仮蓋１を設置したものであり、前記自在鉤金具３，３，…の先端は溝９，９，…内に待機させている。そして、グレーチング４の外周部１４の底面が受枠８のテーパー１５の水平部に載置されると共に前記各自在鉤金具３の先端側に突出する鉤部１３の一部側面が受枠８の立ち上がり部１６の内周面に当接され、マンホール用仮蓋１はテーパー型のマンホールの受枠８に確実に設置される。
【００１７】
図６及び図７は旧小型のマンホールの受枠１８にマンホール用仮蓋１を設置したものであり、前記自在鉤金具３，３，…の先端を溝９，９，…から回動させてグレーチング４の外周部１４に当接させる。そして、グレーチング４の底面が受枠１８の分岐部１７の上面に載置されると共に前記各自在鉤金具３の先端側に突出する鉤部１３の一部側面が受枠１８の立ち上がり部１９の内周面に当接され、マンホール用仮蓋１は旧小型のマンホールの受枠１８に確実に設置される。
【００１８】
図８及び図９は大型のマンホールの受枠２８にマンホール用仮蓋１を設置したものであり、前記自在鉤金具３，３，…の先端を溝９，９，…から回動させてグレーチング４の外周部１４と略直角方向になるように配置する。そして、前記各自在鉤金具３の下面のステンレス板の底面が受枠２８の分岐部２０の上面に載置されると共に各自在鉤金具３の先端側に突出する鉤部１３の一部側面が受枠２８の分岐部２０の内周面に当接され、マンホール用仮蓋１はグレーチング４の大きさ以上の大型のマンホールの受枠１８に確実に設置される。
【図面の簡単な説明】
【００１９】
【図１】本発明のマンホール用仮蓋の平面図である。
【図２】図１におけるグレーチングのＡ−Ａ断面図である。
【図３】図１におけるグレーチングのＢ−Ｂ断面図である。
【図４】本発明のマンホール用仮蓋の一の設置平面図である。
【図５】図４の側面説明図である。
【図６】本発明のマンホール用仮蓋の他の設置平面図である。
【図７】図６の側面説明図である。
【図８】本発明のマンホール用仮蓋のさらに他の設置平面図である。
【図９】図８の側面説明図である。
【符号の説明】
【００２０】
１                        マンホール用仮蓋
２                        仮蓋本体
３                        自在鉤金具
４                        グレーチング
５                        換気ダクト孔
６                        ケーブル導入孔
８，１８，２８            受枠
９                        溝
【図１】
2008202359.tif 000003
【図２】
2008202359.tif 000004
【図３】
2008202359.tif 000005
【図４】
2008202359.tif 000006
【図５】
2008202359.tif 000007
【図６】
2008202359.tif 000008
【図７】
2008202359.tif 000009
【図８】
2008202359.tif 000010
【図９】
2008202359.tif 000011